(57)【特許請求の範囲】
【請求項１】
扉開閉端の縦枠に設けられ閉扉にて錠ケースから錠ボルトを突出させるプッシュプル電気錠であって、
前記縦枠に設けられ開扉方向と同方向の押し引き操作力を回転操作力に変換する変換機構と、
錠ケース内で前記縦枠の長手方向にスライド自在に収容され斜め穴に係合させた前記錠ボルトを後退方向に従動させるスライドカム板と、
扉面に垂直な軸回りで回動自在に前記錠ケースに内設され回転にて該スライドカム板をスライドさせる駆動カムと、
該駆動カムと相対回転自在となって同軸に配設され前記変換機構からの回転操作力にて回転され半径方向外側に係止爪を突設する入力カムと、
前記駆動カムの回転中心と同方向の揺動軸にて前記駆動カムに揺動自在に設けられ揺動先端を前記係止爪に係止することで前記入力カムの回転を前記駆動カムに伝達する揺動爪と、
前記スライドカム板の上端移動位置で該スライドカム板に係止して該スライドカム板を保持するラッチ体と、
閉扉にて被施錠体から磁気反発力を受けて作動し該ラッチ体の前記スライドカム板に対する保持を解除するリリーサと、
電気信号の印加にてソレノイドを励磁し前記錠ボルトの進退方向にプランジャを直動させる電磁プランジャと、
前記プランジャに連結され前記直動方向にスライドされる駆動コネクタと、
扉面に垂直な軸回りで揺動自在となり基端連結部が該駆動コネクタに連結されるとともに先端部が前記揺動爪の背部に当接し異なる揺動位置で前記揺動爪を前記係止爪に対する係止位置又は非係止位置に配置する切替カムと、
を具備したことを特徴とするプッシュプル電気錠。
【請求項２】
前記錠ケースの錠ボルト進退方向の奥行き長と、前記錠ボルトの進退方向の全長とが略同等に形成され、
前記錠ボルトの後端部を厚み方向に二分する前記扉面に平行なスリット内に、前記スライドカム板が配置されたことを特徴とする請求項１記載のプッシュプル電気錠。
【請求項３】
前記駆動コネクタに、前記縦枠の長手方向に長い垂直スライド穴が形成され、
前記切替カムの基端連結部に、該垂直スライド穴と重なり中央部を揺動中心に近接するく字形ガイド穴が形成され、
前記垂直スライド穴及び該く字形ガイド穴にスライドピンがスライド自在に貫通され、
該スライドピンを保持したスライド片が、フロント裏板にスライド自在に表出されたことを特徴とする請求項１又は２記載のプッシュプル電気錠。
【請求項４】
前記スライド片が、前記フロント裏板に取り付けられるフロント板にて覆われることを特徴とする請求項３記載のプッシュプル電気錠。
【請求項５】
前記垂直スライド穴に、前記プランジャの直動変位量に相当する拡幅部が形成されたことを特徴とする請求項３又は４記載のプッシュプル電気錠。
【請求項６】
前記駆動カムを挟み、前記入力カム、前記揺動爪、前記切替カム、及び前記スライド片が一対配設され、これら部品が前記扉の表裏側でそれぞれに作動することを特徴とする請求項３，４，５のいずれか１つに記載のプッシュプル電気錠。
【請求項７】
前記スライドカム板の前記斜め穴の上端に垂直穴が延設され、該垂直穴が前記錠ボルトの後退を阻止することを特徴とする請求項１，２，３，４，５，６のいずれか１つに記載のプッシュプル電気錠。
【請求項８】
前記錠ボルトが順次後退位置となるように前記スライドカム板を保持するラチェット爪が前記リリーサに連結されたことを特徴とする請求項１，２，３，４，５，６，７のいずれか１つに記載のプッシュプル電気錠。
【発明の詳細な説明】
【技術分野】
【０００１】
本発明は、開扉方向と同方向の押し引き操作で閉扉解除がなされるプッシュプル電気錠に関し、特に、錠ボルト進退方向の必要スペースを小さくし、且つ電気制御による遠隔操作にて施錠又は解錠を可能とする改良技術に関する。
【背景技術】
【０００２】
錠装置には、ロックをせずに閉扉状態を保持する掛け金（ラッチボルト）を備えたものがある。ラッチボルトは、先端に傾斜面を有して扉小口から突出する方向に付勢され、扉の閉動により、開口枠側に設けられたストライク板の縁部に傾斜面を衝接し、一旦扉内へ後退した後、ストライク板のトロヨケ内に突出することで、扉を閉めた状態に保持する。ラッチボルトは、一般に、一体となって錠ケースに設けられる進退機構により、扉表裏に設けられる操作部材（レバーハンドル、ノブ等）の操作で後退され、トロヨケ内から脱することで閉扉状態を解除する。
【０００３】
ところで、住宅やオフィスビル等の玄関扉には、長尺の操作バーの端を、台座を介して扉面に可動自在に取り付ける所謂プッシュプル錠の採用されることがある。プッシュプル錠は、例えば外開き扉に取り付けられる場合、室内側の操作バーは押し方向に可動することで、また、屋外側に取り付けられる操作バーは引き方向に可動することで、錠ボルトを錠ケース内へ後退させ、扉を開放可能とする。これにより、扉表裏において、開扉方向とバー操作方向を一致させ、良好な開扉操作を実現する。
【０００４】
また、近年、ガラス素材の強度向上によってガラス扉が多用されるようになってきている。この種のガラス扉に施錠装置を設ける場合、ガラスに金属枠部を付設し、扉開閉端の縦枠に錠装置を設けるのが一般的である。このようなガラス扉の縦枠に収容される錠装置に、上記ラッチボルトを設けた場合、両開き扉では、相手部材（相手側ガラス扉）の縦枠に設けられるストライク板に傾斜面を衝接させることとなる。また、片開きでは、相手部材（開口枠）に設けられたストライク板に傾斜面を衝接させることとなった。
【発明の開示】
【発明が解決しようとする課題】
【０００５】
しかしながら、特にガラス扉に設けられる錠装置の場合、衝接時の反力を発生させないため、傾斜面を衝接させないラッチボルト機構とすることが望ましい。また、プッシュプル錠の操作バーを縦枠に取り付けたガラス扉では、意匠性を低下させないため、錠装置を収容する縦枠をできるだけ幅の狭いスリムなものとすることが望ましい。さらに、省スペース化を達成するためには、掛け金としてのラッチボルトと、施錠用のデッドボルトを単一の錠ボルトのみを用いて機能させることがより好ましい。このような事情からガラス扉に設けられるプッシュプル錠は、相手部材との衝接による反力を利用せず、デッドボルト機能を有し、しかも、錠ケースのラッチボルト進退方向の奥行き長を最小限にする必要があった。
また、上記プッシュプル錠では、利便性向上や、セキュリティシステム導入に伴い、電気制御による遠隔操作にて施錠又は解錠が可能となる電気錠化の市場要請がある。その場合、破壊的な解錠操作力に対し高い信頼性の確保されることが望しい。さらに、電気錠とした場合には、単一製品で、種々の電気制御バリエーションに対応できる汎用性の高いものであることが、製造コスト低減の点でより好ましい。
【０００６】
本発明は上記状況に鑑みてなされたもので、その第１の目的は、扉の縦枠など狭い幅のスペースに取り付けできるとともに、電気制御による遠隔操作にて施錠状態又は解錠可能状態とでき、その場合に、破壊的な解錠操作力に対し信頼性の高い施錠状態を実現できるプッシュプル電気錠を提供することにある。また、その第２の目的は、状況に応じ電気制御バリエーションを設定できる汎用性の高いプッシュプル電気錠を提供することにある。
【課題を解決するための手段】
【０００７】
次に、上記の課題を解決するための手段を、実施の形態に対応する図面を参照して説明する。
本発明の請求項１記載のプッシュプル電気錠は、扉開閉端の縦枠１７に設けられ閉扉にて錠ケース１９から錠ボルト２５を突出させるプッシュプル電気錠１００であって、
前記縦枠１７に設けられ開扉方向ａと同方向の押し引き操作力を回転操作力に変換する変換機構６５と、
錠ケース１９内で前記縦枠１７の長手方向にスライド自在に収容され斜め穴７３に係合させた前記錠ボルト２５を後退方向に従動させるスライドカム板３１と、
扉面１１ａに垂直な軸回りで回動自在に前記錠ケース１７に内設され回転にて該スライドカム板３１をスライドさせる駆動カム５５と、
該駆動カム５５と相対回転自在となって同軸に配設され前記変換機構６５からの回転操作力にて回転され半径方向外側に係止爪１９１を突設する入力カム５２ａ，５２ｂと、
前記駆動カム５５の回転中心と同方向の揺動軸１９５にて前記駆動カム５５に揺動自在に設けられ揺動先端１９３を前記係止爪１９１に係止することで前記入力カム５２ａ，５２ｂの回転を前記駆動カム５５に伝達する揺動爪５４ａ，５４ｂと、
前記スライドカム板３１の上端移動位置で該スライドカム板３１に係止して該スライドカム板３１を保持するラッチ体７９と、
閉扉にて被施錠体から磁気反発力を受けて作動し該ラッチ体７９の前記スライドカム板３１に対する保持を解除するリリーサ９５と、
電気信号の印加にてソレノイド１４３を励磁し前記錠ボルト２５の進退方向にプランジャ１４５を直動させる電磁プランジャ１４４と、
前記プランジャ１４５に連結され前記直動方向にスライドされる駆動コネクタ１４７と、
扉面１１ａに垂直な軸回りで揺動自在となり基端連結部１５９ｂが該駆動コネクタ１４７に連結されるとともに先端部１６１が前記揺動爪５４ａ，５４ｂの背部に当接し異なる揺動位置で前記揺動爪５４ａ，５４ｂを前記係止爪１９１に対する係止位置又は非係止位置に配置する切替カム１５９と、
を具備したことを特徴とする。
【０００８】
このプッシュプル電気錠では、縦枠１７から横方向に後退する錠ボルト１５を、縦枠１７の長手方向に移動するスライドカム板３１にて駆動するので、縦枠内の縦長スペースを有効利用した部品の配置が可能となり、その結果、横幅に必要なスペースを抑制できる。また、閉扉にてリリーサ９５を作動させ、錠の厚み方向に作動するラッチ体７９による保持を解除して錠ボルト２５を突出できる。これに加え、ソレノイド１４３に電気信号を印加することで、プランジャ１４５を介し駆動コネクタ１４７を直動し、連結される切替カム１５９を揺動することで、その押圧にて揺動爪５４ａ，５４ｂを作動させることができる。これにより、揺動爪５４ａ，５４ｂを入力カム５２ａ，５２ｂに対し係止位置又は非係止位置に配置して、遠隔操作により入力カム５２ａ，５２ｂを駆動カム５５に連結・連結解除（空振り）できる。
【０００９】
請求項２記載のプッシュプル電気錠は、前記錠ケース１９の錠ボルト進退方向の奥行き長Ｄと、前記錠ボルト２５の進退方向の全長Ｌとが略同等に形成され、
前記錠ボルト２５の後端部を厚み方向に二分する前記扉面に平行なスリット２９内に、前記スライドカム板３１が配置されたことを特徴とする。
【００１０】
このプッシュプル電気錠では、錠ボルト２５と係合するスライドカム板３１が、錠ボルト２５の後端部に形成されたスリット２９内に配置され、スリット２９が錠ボルト後退方向に突出しなくなる。また、錠ボルト２５とスライドカム板３１が厚み方向の中心位置で係合され、錠ボルト２５やスライドカム板３１に、錠ボルト進退方向の軸回りのモーメントが発生しない。
【００１１】
請求項３記載のプッシュプル電気錠は、前記駆動コネクタ１４７に、前記縦枠１７の長手方向に長い垂直スライド穴１６７が形成され、
前記切替カム１５９の基端連結部１５９ｂに、該垂直スライド穴１６７と重なり中央部を揺動中心に近接するく字形ガイド穴１６９が形成され、
前記垂直スライド穴１６７及び該く字形ガイド穴１６９にスライドピン１７１がスライド自在に貫通され、
該スライドピン１７１を保持したスライド片１７７が、フロント裏板３９にスライド自在に表出されたことを特徴とする。
【００１２】
このプッシュプル電気錠では、スライド片１７７をスライドすることにより、揺動爪５４ａ，５４ｂに対する切替カム１５９の位置が変位する。すなわち、揺動爪５４ａ，５４ｂと入力カム５２ａ，５２ｂが係止する位置又は非係止の位置となる。これにより、スライド片１７７の切り替えにて、プランジャ１４５の直動が、入力カム５２ａ，５２ｂを駆動カム５５に連結する揺動爪５４ａ，５４ｂの揺動、又は入力カム５２ａ，５２ｂと駆動カム５５を連結解除する揺動に反転伝達可能となる。
【００１３】
請求項４記載のプッシュプル電気錠は、前記スライド片１７７が、前記フロント裏板３９に取り付けられるフロント板４１にて覆われることを特徴とする。
【００１４】
このプッシュプル電気錠では、扉１１の通常開放時には、フロント板４１に覆われてスライド片１７７が露出しなくなる。
【００１５】
請求項５記載のプッシュプル電気錠は、前記垂直スライド穴１６７に、前記プランジャ１４５の直動変位量に相当する拡幅部１８５が形成されたことを特徴とする。
【００１６】
このプッシュプル電気錠では、スライドピン１７１が拡幅部１８５に配置されることで、プランジャ１４５の直動によって駆動コネクタ１４７が移動しても、駆動コネクタ１４７の移動がスライドピン１７１へ伝達されず、電磁プランジャ１４４の動作、非動作に関わらず、常に入力カム５２ａ，５２ｂと駆動カム５５を連結状態とできる。
【００１７】
請求項６記載のプッシュプル電気錠は、前記駆動カム５５を挟み、前記入力カム５２ａ，５２ｂ、前記揺動爪５４ａ，５４ｂ、前記切替カム１５９、及び前記スライド片１７７が一対配設され、これら部品が前記扉１１の表側１１ａと裏側１１ｂとでそれぞれに作動することを特徴とする。
【００１８】
このプッシュプル電気錠では、扉表裏側で入力カム（すなわち、操作バー２１，２３）５２ａ，５２ｂが独立操作可能となる。また、一方の入力カム５２ａの回転が他方の入力カム５２ｂに伝わらなくなる。そして、スライド片１７７のスライド位置を変えることで、揺動爪５４ａ，５４ｂの揺動位置を切り替え、プランジャ１４５の直動を、入力カム５２ａ，５２ｂと駆動カム５５の連結・連結解除（空振り）状態に切り替えることができる。さらに、扉表裏側で各スライド片１７７のスライド位置を変えることで、電気信号による動作、すなわち、施解錠を別設定できる。
【００１９】
請求項７記載のプッシュプル電気錠は、前記スライドカム板３１の前記斜め穴７３の上端に垂直穴７７が延設され、該垂直穴７７が前記錠ボルト２５の後退を阻止することを特徴とする。
【００２０】
このプッシュプル電気錠では、錠ボルト２５の突出動作に伴い、スライドカム板３１のスライドにより斜め穴７３の上端に錠ボルト２５の係合部（係合ピン３７等）が達すると、突出した錠ボルト２５の後退が垂直穴７７に当たる係合部にて阻止される。
【００２１】
請求項８記載のプッシュプル電気錠は、前記錠ボルト２５が順次後退位置となるように前記スライドカム板３１を保持するラチェット爪１０５が前記リリーサ９５に連結されたことを特徴とする。
【００２２】
このプッシュプル電気錠では、スライドカム板３１が上端移動位置でラッチ体７９にて保持されるまでの上昇スライド過程において、スライドカム板３１がラチェット爪１０５にて順次位置保持される。なお、リリーサ９５に磁気反発力を作用させる被施錠体側の磁気発生手段には電磁石が用いられる。この電磁石は、開扉時、磁気を発生させる電気信号が印加されている。閉扉と同時にこの電磁石による磁気反発力でリリーサ９５が揺動され、ラッチ体７９による保持が解除され、スライドカム板３１がスライドすることにより、錠ボルト２５が突出される。その後、閉扉状態が閉扉検出手段にて検出され、電磁石への磁気発生電気信号は遮断される。つまり、リリーサ９５は、磁気反発力が作用しなくなることで揺動前の姿勢となる。これにより、閉扉時、ラッチ体７９によるスライドカム板３１の保持、及びラチェット爪１０５によるスライドカム板３１の噛合保持が可能となる。
【発明の効果】
【００２３】
本発明に係る請求項１記載のプッシュプル電気錠によれば、縦枠から横方向に後退する錠ボルトを、縦枠の長手方向にスライドするスライドカム板にて作動させ、閉扉で被施錠体から磁気反発力を受けるリリーサにてラッチ体によるスライドカム板の保持、すなわち、錠ボルト後退位置での保持を解除するので、縦枠など狭い幅のスペースに取り付けできるとともに、閉扉と同時に錠ボルトを突出させる自動閉扉保持を実現できる。これに加え、スライドカム板をスライドさせる駆動カムと、駆動カムと同軸に配設される入力カムと、入力カムに係止して入力カムの回転を駆動カムに伝達する揺動爪と、揺動爪の背部に当接し揺動爪を入力カムに対する係止位置又は非係止位置に配置する切替カムとを設けたので、揺動爪を電気制御し、遠隔操作により入力カムを駆動カムに連結・連結解除（空振り）できる。この結果、駆動カムを回転固定（ロック）せずに、解錠操作力の伝達を断つことで、施錠状態又は解錠可能状態にでき、破壊的な解錠操作力に対抗可能な信頼性の高い施錠状態を実現できる。
【００２４】
請求項２記載のプッシュプル電気錠によれば、錠ケースの錠ボルト進退方向の奥行き長と、錠ボルトの進退方向の全長とを略同等に形成し、錠ボルトの後端部を厚み方向に二分するスリット内にスライドカム板を配置したので、スライドカム板が錠ボルト後退方向に突出せず、錠ケースの錠ボルト進退方向の奥行き長を、錠ボルトの全長と同一となる最小長にできる。また、錠ボルトとスライドカム板を厚み方向の中心位置で係合できるので、錠ボルトやスライドカム板に、錠ボルト進退方向の軸回りモーメントが発生せず、錠ボルト及びスライドカム板をスムースに作動させることができる。
【００２５】
請求項３記載のプッシュプル電気錠によれば、駆動コネクタに垂直スライド穴を形成し、切替カムの基端連結部にく字形ガイド穴を形成し、垂直スライド穴及びく字形ガイド穴にスライドピンをスライド自在に貫通し、スライドピンを保持したスライド片を、フロント裏板にスライド自在に表出させたので、スライド片をスライドすることにより、揺動爪に対する切替カムの位置を変位させ、単一プランジャの直動を揺動爪の係止又は非係止に切り替えることができる。つまり、スライド片を設け、状況に応じ電気制御バリエーションを設定できるようにした。この結果、単一種類のプッシュプル電気錠を、用途に応じ異なる電気制御内容に設定でき、汎用性を高めることができる。
【００２６】
請求項４記載のプッシュプル電気錠によれば、スライド片を、フロント裏板に取り付けられるフロント板にて覆うので、通常の扉の開閉では、フロント板に覆われてスライド片が露出せず、スライド片が悪戯されることによる誤動作を防止できる。
【００２７】
請求項５記載のプッシュプル電気錠によれば、垂直スライド穴に、プランジャの直動変位量に相当する拡幅部を形成したので、拡幅部にスライドピンを配置することで、電磁プランジャの動作、非動作に関わらず、常に入力カムと駆動カムを連結状態とできる。この結果、災害などの緊急・非常時に、開扉不能となることによる混乱（パニック）を防止する、混乱防止モード（所謂アンチパニックモード）を設定できる。
【００２８】
請求項６記載のプッシュプル電気錠によれば、駆動カムを挟み、入力カム、揺動爪、切替カム、及びスライド片が一対配設され、これら部品が扉の表裏側でそれぞれに作動するので、扉表裏側で入力カムを独立操作して駆動カム等の兼用部品を作動させることができるとともに、遠隔操作による施錠・解錠を扉表裏で独立して任意に行うことができる。また、一方の入力カムの回転が他方の入力カムに伝わらず、非操作側操作バーの不要な動きを排除できる。
【００２９】
請求項７記載のプッシュプル電気錠によれば、スライドカム板の斜め穴の上端に垂直穴が延設されたので、突出動作に伴い、スライドカム板のスライドにより斜め穴の上端に錠ボルトの係合部が達すると、横方向に突出した錠ボルトの後退が直交する垂直穴に当たる係合部にて阻止される。これにより、簡素な構造で錠ボルトを高強度に後退規制できる。
【００３０】
請求項８記載のプッシュプル電気錠によれば、錠ボルトが順次後退位置となるようにスライドカム板を保持するラチェット爪を、リリーサに連結したので、スライドカム板が上端移動位置でラッチ体にて保持されるまでの上昇過程において、スライドカム板を順次位置保持することができる。これにより、錠ボルト後退時に、ラチェット爪が順次噛合することによるクリック感を生じさせ、良好な操作感を得ることができる。
【発明を実施するための最良の形態】
【００３１】
以下、本発明に係るプッシュプル電気錠の好適な実施の形態を図面を参照して詳細に説明する。
図１は本発明に係るプッシュプル電気錠を備えたガラス扉の斜視図である。
プッシュプル電気錠１００の設けられる扉１１は、矢印ａ方向へ開扉可能に不図示のヒンジにて支持される。本実施の形態の扉１１は、ガラス１３の外周に枠体１５を付設したガラス扉として構成される。プッシュプル電気錠１００は、枠体１５の開閉端側の縦枠１７に取り付けられる。
【００３２】
一方の扉面１１ａ側に開扉される扉１１の厚み方向中央部には錠ケース１９が内設される。表面１１ａには、この表面１１ａに垂直な離反方向Ｌに移動操作される第１の操作バー（屋外操作バー）２１が設けられる。また、他方の扉面（裏面１１ｂ）には、この裏面１１ｂに垂直な接近方向Ｎに移動操作される第２の操作バー（室内操作バー）２３が設けられる。プッシュプル電気錠１００は、開扉方向ａと同方向に操作される屋外操作バー２１、室内操作バー２３の操作力を、錠ボルト２５を後退作動させる回転駆動力に変換して錠ケース１９に入力する。
【００３３】
ガラス扉に設けられるプッシュプル電気錠１００は、衝接時の反力を発生させないため、衝接傾斜面を有しないラッチボルト機構であることが望ましい。本実施の形態によるプッシュプル電気錠１００は、錠ボルト２５が、相手部材との衝接による反力を利用しない角ボルトとして形成されている。つまり、錠ボルト２５は、閉扉状態でのみ突出し、開扉状態では一般的なラッチボルトと異なり後退保持（収納）されるようになっている。これにより、プッシュプル電気錠１００は、掛け金としてのラッチボルトと、施錠用のデッドボルトを単一の錠ボルト２５のみにて機能させている。
【００３４】
また、ガラス扉の意匠性を低下させないためには、プッシュプル電気錠１００の設けられる縦枠１７はできるだけ幅Ｗの狭いスリムなものとすることが望ましい。すなわち、プッシュプル電気錠１００は、錠ボルト２５の進退方向の奥行き長を最小にできる機構であることが望ましい。
【００３５】
図２は図１に示したプッシュプル電気錠の錠ケース内の側面図、図３は図２の上部拡大斜視図、図４は錠ボルト近傍部材の分解斜視図である。
錠ボルト２５は、縦枠１７の扉開閉端面１１ｃ（図１参照）から進退するよう横方向に往復動自在に錠ケース１９に内設される。錠ボルト２５の先端面には、安全上、厚み方向両側の角部を除去した図４に示す傾斜部２７，２７が形成されている。錠ボルト２５の後端部には、厚み方向に二分する扉表面１１ａに平行なスリット２９（図４参照）が形成され、スリット２９は後述のスライドカム板３１及び係合手段３３を配置する。錠ボルト２５には両側面に貫通する軸穴３５が穿設され、軸穴３５は係合手段３３である係合軸３７を嵌入する。
【００３６】
錠ケース１９は、フロント裏板３９が扉小口に不図示のケース固定ビスにて固定される。フロント裏板３９の表面には化粧板（フロント板）４１が取り付けられる。フロント裏板３９には、錠ボルト２５、後述のリリーサ９５と一致する開口穴４５，４７が形成される。フロント裏板３９には錠ボルト２５のみの開口穴が形成される。つまり、リリーサ９５用の開口穴４７はフロント板４１によって覆われるようになっている。
【００３７】
縦枠１７に収容される錠ケース１９は、開放側面に、不図示のケース蓋がビスにて固定される。錠ケース１９の錠ボルト進退方向の奥行き長Ｄ（図７参照）と、錠ボルト２５の進退方向の全長Ｌとは略同等に形成されている。
【００３８】
錠ボルト２５両側と錠ケース１９の両内壁の間には樹脂材料からなる一対の板状ボルトガイド（図３参照）が配設される。ボルトガイド４９には横方向に延在するガイド穴５１（図２参照）が穿設され、ガイド穴は錠ボルト２５の両側部に突出する突起５３、係合軸３７を介して錠ボルト２５をガイドする。ボルトガイド４９にはガイド穴５１を挟み錠ボルト進退方向に離間した一対のガイドピンローラ（不図示）が上側に一対、下側に一対配設され、ガイドピンローラは錠ボルト２５の側面を自転しながらガイドする。
【００３９】
錠ケース１９の内壁にはガイド柱５０が立設され、ガイド柱５０は外挿されたローラ５０ａにて錠ボルト２５の上面をガイドする。また、このガイド柱５０には直径に平行な上下方向の溝（図示せず）が形成され、この溝によってスライドカム板３１の前縁がガイドされるようになっている。ガイド柱５０は、錠ボルト２５の上縁と、スライドカム板３１の前縁が交差する位置に配設され、省スペースで複数機能が得られるようになされている。
【００４０】
図５は図２の下部拡大斜視図である。
錠ケース１９には後に詳述する駆動カム５５（図５，図１１参照）が内設され、駆動カム５５は扉面に垂直な軸（仮想軸４３）回りで回動自在となる。駆動カム５５は、後述する変換機構からの出力軸が嵌合される角孔５７を有する一対の入力カム５２ａ，５２ｂの何れかを介して操作力が伝達される。入力カム５２ａ，５２ｂは、屋外操作バー２１、室内操作バー２３の押し引き操作によって、変換機構を介して回転される。入力カム５２ａ，５２ｂから操作力の伝達される駆動カム５５には押圧板部５９が設けられ、押圧板部５９は駆動カム５５の一方向（図５の時計回り方向）の回転によってスライドカム板３１を押し上げる。
【００４１】
押圧板部５９は、スライドカム板３１を下方へ引っ張る引っ張りバネ６１と厚み方向で重なって配置されている（図５参照）。引っ張りバネ６１と押圧板部５９が重なって配置されることで、スライドカム板３１を下側へ強制復帰させるときに必須となる引っ張りバネ６１を、押圧板部５９の回動スペースに重ねて配設でき、錠ケース１９の奥行き長Ｄを増大させないようになっている。駆動カム５５には復帰バネ６２が張架され、復帰バネ６２は駆動カム５５を図５の反時計回りに付勢する。入力カム５２ａ，５２ｂのそれぞれにも同方向に付勢力を付与する復帰バネ６２が張架されている。
【００４２】
屋外操作バー２１、室内操作バー２３による開扉方向ａと同方向の押し引き操作力は、変換機構６５（図１参照）にて扉面に垂直な軸回りの回転操作力として入力カム５２ａ，５２ｂに入力される。変換機構６５は、屋外操作バー２１用と、室内操作バー２３用のそれぞれに対応して設けられる。屋外操作バー２１用の変換機構６５は離反方向Ｌの操作力を回転に変換する。室内操作バー２３用の変換機構６５は接近方向Ｎの操作力を回転に変換する。本明細書では変換機構６５の詳細な構成説明は省略する。
【００４３】
図６は揺動爪係止状態を（ａ）、揺動爪非係止状態を（ｂ）に表した駆動カム近傍部材の側面図である。
駆動カム５５には後に詳述する揺動爪５４ａ，５４ｂが設けられ、揺動爪５４ａ，５４ｂは駆動カム５５に対して図６（ａ）に示す非係止位置、図６（ｂ）に示す係止位置に揺動配置される。これにより、揺動爪５４ａ，５４ｂは、入力カム５２ａ，５２ｂと駆動カム５５とを連結・連結解除（空振り）可能とする。なお、この揺動爪５４ａ，５４ｂは、後述するように、電磁プランジャ１４４にて係止・非係止が制御される。
【００４４】
図７は駆動カム回転時の側面図である。
スライドカム板３１は、扉表面１１ａと平行な板材からなり、縦枠１７の長手方向に沿って往復動自在に錠ケース１９に内設される。スライドカム板３１には上下に延在する一対の平行なガイド穴６４ａ，６４ｂ（図４参照）が穿設され、ガイド穴６４ａ，６４ｂは錠ケース１９の内壁に立設されたスタッド６６ａ，６６ｂに係合される。スライドカム板３１は、駆動カム５５の時計回りの回転で、縦枠１７の上方向にスライドされ、斜め穴７３に、係合手段３３を介して係合させた錠ボルト２５を後退方向（図７の右方向）に駆動する。
【００４５】
駆動カム５５に設けられる押圧板部５９は、スライドプッシャー７５を介して、スライドカム板３１の下端を上方へ押し上げる。スライドカム板３１が押し上げられれば、係合手段３３を介して斜め穴７３に係合する錠ボルト２５は後退される。スライドカム板３１は、錠ケース１９の内壁に立設される規制軸７０にて上端移動位置より上方の移動が規制される。
【００４６】
錠ボルト２５と係合するスライドカム板３１は、錠ボルト２５の後端部に形成されたスリット２９内に配置され、錠ボルト２５の後端から突出しない。これにより、錠ケース１９の奥行き長Ｄを、錠ボルト２５の進退方向の全長Ｌと同一となる最小長としている。また、錠ボルト２５とスライドカム板３１が厚み方向の中心位置で係合され、錠ボルト２５やスライドカム板３１に、錠ボルト進退方向の軸回りのモーメントが発生しない。これにより、錠ボルト２５及びスライドカム板３１をスムースに作動できる。
【００４７】
スライドカム板３１の斜め穴７３の上端には図４に示す垂直穴７７が延設され、垂直穴７７は図２に示す突出状態の錠ボルト２５の後退を阻止する。すなわち、錠ボルト２５の突出動作に伴い、スライドカム板３１のスライドにより斜め穴７３の上端に錠ボルト２５の係合手段３３が達すると、突出した錠ボルト２５が係合手段３３を介して垂直穴７７に当たり後退が阻止される。これにより、簡素な構造で錠ボルト２５を高強度に後退規制できるようになっている。
【００４８】
図８は錠ボルト後退途中の側面図、図９はリリーサ作動時の側面図、図１０はラッチ体によるスライドカム板の保持・保持解除状況を（ａ）〜（ｄ）で表した動作説明図である。
錠ケース１９の上部にはラッチ体７９が配設される。ラッチ体７９は、スライドカム板３１の図２に示す上端移動位置で、スライドカム板３１の係止穴８１（図８参照）に係止してスライドカム板３１を保持する。
【００４９】
ラッチ体７９は、錠ケース１９に、ボルトガイド４９を介して設けられる。ラッチ体７９には受け座８３が突出され、受け座８３は上方に配置されるラッチロック板８５の回転規制面８７に当接する。ボルトガイド４９の上部にはラッチ体７９を収容する図９に示すラッチ体収容穴８９が形成され、ラッチ体収容穴８９は前後壁に、ラッチ体７９の両端から突出する軸７９ａ（図４参照）を支持する受け穴（不図示）が形成されている。錠ケース１９とラッチ体７９の間にはコイルバネ９１が配設され、コイルバネ９１は円形板９３を介してラッチ体７９を突出方向（図１０の右方向）に付勢する。ラッチ体７９は、軸７９ａが支持されラッチ体収容穴８９に配置されることで、軸７９ａ回りに回動し、且つ扉表面１１ａに垂直方向で可動（進退）するようになっている。
【００５０】
ラッチロック板８５は、後述のリリーサ９５との連結を行う回動ピン９７の挿通される穴９９を有する。ラッチロック板８５の上面にはつる巻バネ１０１の受け部１０３が形成される。つる巻バネ１０１は、リリーサ９５の支持軸１１０に外挿され、ラッチロック板８５を図８の右方向に付勢する。これにより、リリーサ９５は同図の反時計回りに付勢される。右方向に配置されたラッチロック板８５は、図１０（ａ）に示すように、回転規制面８７で受け部１０３を上から押さえる。この押下によりラッチ体７９は、軸７９ａを中心とした回転が規制され、同図左右方向の進退のみが可能となる。また、図９に示すように、リリーサ９５が時計回りに回転し、ラッチロック板８５が同図の左方へ移動されると、図１０（ｄ）に示すように、回転規制面８７による受け部１０３の上からの押さえを解除する。これにより、ラッチ体７９は、引っ張りバネ６１で下側に付勢されるスライドカム板３１にて、左方へ移動しながら軸７９ａ回りに回転される。
【００５１】
また、ラッチロック板８５とリリーサ９５の間には、回動ピン９７の貫通するラチェット爪１０５が挟持される。ラチェット爪１０５とフロント裏板３９の間にはバネ１０７が設けられ、バネ１０７はラチェット爪１０５を図８の右方へ付勢する。スライドカム板３１の上部前縁にはラチェット爪１０５に対向するラック１０９が形成される。
【００５２】
ラチェット爪１０５は、バネ１０７に付勢され、錠ボルト２５が順次後退位置となるように、スライドカム板３１を保持する。したがって、スライドカム板３１が上端移動位置でラッチ体７９にて保持されるまでの上昇過程において、スライドカム板３１を順次位置保持することができる。これにより、錠ボルト後退時に、ラチェット爪１０５が順次噛合することによるクリック感を生じさせ、良好な操作感が得られるようになっている。
【００５３】
リリーサ９５は、中央部に、支持軸１１０の貫通する支持穴１１１が穿設される。リリーサ９５の下部にはラッチロック板８５との連結を行う回動ピン９７の挿通される連結穴１１３が形成される。リリーサ９５の上部にはマグネット１１５が付設され、マグネット１１５はフロント裏板３９のマグネット表出開口穴４７に一致する。リリーサ９５は、相手部材（相手側ガラス扉又は開口枠等）に設けられた電磁石からの斥力を受けることで、図９に示すように、時計回りに回転し、ストッパピン１１６にて回転規制される。回転したリリーサ９５は、ラッチロック板８５を同図の左方向へ移動し、その結果、図１０（ｄ）に示すようにラッチ体７９の回転規制を解除するようになっている。つまり、閉扉にて被施錠体から磁気反発力を受けて作動し、ラッチ体７９のスライドカム板３１に対する保持を解除する。
【００５４】
なお、相手部材に設けられる電磁石は、開扉時、磁気を発生させる電気信号が印加されている。閉扉と同時にこの電磁石による磁気反発力でリリーサ９５が揺動され、ラッチ体７９による保持が解除され、スライドカム板３１がスライドすることにより、錠ボルト２５が突出される。その後、閉扉状態が閉扉検出手段にて検出され、電磁石への磁気発生電気信号は遮断される。つまり、リリーサ９５は、磁気反発力が作用しなくなることで揺動前の姿勢となる。これにより、閉扉時、ラッチ体７９によるスライドカム板３１の保持、及びラチェット爪１０５によるスライドカム板３１の噛合保持が再び可能となる。
【００５５】
プッシュプル電気錠１００は、少なくとも錠ボルト２５、スライドカム板３１などの摺動部品と、少なくとも入力カム５２ａ，５２ｂ、ラチェット爪１０５などの揺動部品が、錠ケース１９との隙間に配設される樹脂製スペーサ部材１８４（図６（ａ）参照）に摺接して位置保持及び動作案内される。このように、摺動部品、揺動部品が、樹脂製スペーサ部材１８４に摺接して位置保持及び動作案内されるので、摺動部品や揺動部品の摺動音、衝撃音を吸収して静粛性を高めることができる。また、金属同士の摩耗を低減させて耐久性を向上させることができる。
【００５６】
また、プッシュプル電気錠１００は、駆動カム５５を挟み、入力カム５２ａ，５２ｂ、揺動爪５４ａ，５４ｂが一対配設され、これら部品が扉１１の表裏側でそれぞれに作動する。すなわち、扉表裏側で入力カム５２ａ，５２ｂ（すなわち、操作バー２１，２３）が独立操作可能となる。また、一方の入力カム５２ａの回転が他方の入力カム５２ｂに伝わらなくなっている。これにより、扉表裏側で入力カム５２ａ，５２ｂを独立操作して、スライドカム板３１等の兼用部品を作動させることができる。また、一方の入力カム５２ａの回転が他方の入力カム５２ｂに伝わらず、非操作側操作バーの不要な動きを防止している。
【００５７】
次に、上記構成を有するプッシュプル電気錠１００のラッチ動作を説明する。
プッシュプル電気錠１００は、錠ボルト２５が突出した状態（図２の状態）で、屋外操作バー２１又は室内操作バー２３が操作され、変換機構６５を介して入力カム５２ａ，５２ｂ、駆動カム５５が回転されると、図７に示すように、押圧板部５９にてスライドカム板３１が押し上げられる。
【００５８】
スライドカム板３１が上方へ移動すると、ラチェット爪１０５がラック１０９に順次噛合し、錠ボルト２５が後退位置に順次保持される。スライドカム板３１の上縁がラッチ体７９に達すると、図１０（ｂ）に示すように、ラッチ体７９がコイルバネ９１の付勢力に抗して図１０の左側へ押し込まれる。さらにスライドカム板３１が移動され、ラッチ体７９に係止穴８１が一致すると、コイルバネ９１の付勢力によりラッチ体７９が突出し、図１０（ｃ）に示すように、係止穴８１に係止して、スライドカム板３１を上端移動位置で保持する。
【００５９】
ガラス扉１１は、この状態、すなわち、錠ボルト２５が後退した状態で開扉可能となる。なお、この状態では、屋外操作バー２１、室内操作バー２３が操作されても、駆動カム５５が回動するのみで、押圧板部５９は上端移動位置に配置されたスライドカム板３１に干渉しない。
【００６０】
これに対し、錠ボルト２５を掛け金（ラッチボルト）として動作させるには、相手部材の、リリーサ９５のマグネット１１５と対向する電磁石に、斥力を生じさせる電気信号を印加しておく。これにより、ガラス扉１１が閉止されると、リリーサ９５のマグネット１１５が図９に示すように離反動し、その結果、ラッチロック板８５を同図の左方へ移動させる。
【００６１】
ラッチロック板８５が移動されると、図１０（ｄ）に示すように、回転規制面８７による受け座８３への押圧が解除され、ラッチ体７９が軸７９ａを中心に回転可能となる。これにより、引っ張りバネ６１の付勢力により下側へ引かれるスライドカム板３１にてラッチ体７９が図１０の時計回りに回転され、係止が解除されてスライドカム板３１が下降する。
【００６２】
スライドカム板３１が下降することにより、係合手段３３を介して錠ボルト２５が再び突出し、相手部材と係合することとなる。ガラス扉１１は、この閉扉状態において、屋外操作バー２１，室内操作バー２３が操作されれば、再び入力カム５２ａ，５２ｂ、駆動カム５５、押圧板部５９を介してスライドカム板３１が押し上げられ、錠ボルト２５が後退することにより開扉が可能となる。
【００６３】
このように、プッシュプル電気錠１００では、駆動カム５５の回動を錠ボルト２５の後退・進出動に変換するためのスライドカム板３１が、錠ボルト２５の進退方向と直交方向に移動自在に配置される。これにより、錠ケース１９の錠ボルト後退方向に機構部品を配置したり、作動スペースを確保する必要がなくなる。
【００６４】
したがって、上記構成によれば、縦枠１７に沿って往復動自在に錠ケース１９に内設されるスライドカム板３１と、扉開閉端面１１ｃから進退するよう錠ケース１９に内設される錠ボルト２５と、駆動カム５５に形成されスライドカム板３１を押し上げる押圧板部５９と、スライドカム板３１の上下動を錠ボルト２５の後退・進出動に変換する係合手段３３と、スライドカム板３１の上端移動位置でスライドカム板３１を保持するラッチ体７９とを設けたので、駆動カム５５の回転を錠ボルト２５の後退・進出動に変換するためのスライドカム板３１を、錠ボルト２５の進退方向と直交方向に移動自在に配置でき、錠ケース１９の錠ボルト後退方向に変換部材を配置したり、作動スペースを確保する必要がなくなる。
【００６５】
つまり、錠ケース１９の錠ボルト進退方向の奥行き長Ｄを最小にできる。この結果、相手部材との衝接による反力を利用せず、幅寸法の小さい縦枠１７にもプッシュプル電気錠１００が収容でき、特にガラス扉１１では金属枠部分を小さくして、意匠性を向上させることができる。
【００６６】
ところで、プッシュプル電気錠１００は、利便性向上や、セキュリティシステム導入に伴い、電気制御による遠隔操作にて施錠又は解錠が可能であると良い。。その場合、破壊的な解錠操作力に対し高い信頼性の確保されることが望しい。また、プッシュプル電気錠１００は、このような電気錠とした場合、単一製品で、種々の電気制御バリエーションに対応できることが、製造コスト低減の点でより好ましい。このような要請からプッシュプル電気錠１００は、さらに、以下の構成を有している。
【００６７】
図１１は駆動カム及び電気錠部の分解斜視図、図１２は扉表面側のスライド片がＴモード（ａ）、Ｒモード（ｂ）、Ａモード（ｃ）に配置されたフロント裏板部の斜視図である。
入力カム５２ａ，５２ｂは、駆動カム５５と相対回転自在となって同軸に配設され、変換機構６５からの回転操作力にて回転される。入力カム５２ａ，５２ｂには半径方向外側に突出する係止爪１９１が設けられ、係止爪１９１は揺動爪５４ａ，５４ｂの揺動先端１９３に係止可能とする。揺動爪５４ａ，５４ｂは、駆動カム５５の回転中心と同方向の揺動軸１９５にて駆動カム５５に揺動自在に設けられる。揺動軸１９５は、入力カム５２ａ，５２ｂに対し図６（ａ）に示す非係止位置又は図６（ｂ）に示す係止位置となることで、入力カム５２ａ，５２ｂと駆動カム５５を連結解除（空振り）・連結し、入力カム５２ａ，５２ｂの回転を駆動カム５５に非伝達・伝達する。揺動爪５４ａ，５４ｂは、図５に示す付勢バネ１９７にて係止爪１９１に対し離反方向（図５の時計回り方向）に付勢される。なお、１９９，２０１は揺動爪５４ａ，５４ｂの係止爪１９１に対する離反方向の回転を規制するストッパ、爪を表す。
【００６８】
揺動爪５４ａ，５４ｂは、電磁プランジャ１４４にて係止・非係止が制御される。図５に示すように、揺動爪５４ａ，５４ｂより下方の錠ケース１９内には電磁プランジャ１４４のソレノイド１４３が固設され、ソレノイド１４３は外部からの電気信号の印加にて励磁されて錠ボルト２５の進退方向にプランジャ１４５を直動させる。プランジャ１４５には駆動コネクタ１４７が連結され、駆動コネクタ１４７はプランジャ１４５の直動方向（図６の矢印ｂ方向）にスライドされる。なお、これら電磁プランジャ１４４、駆動コネクタ１４７は扉表裏で兼用の単一部品である。
【００６９】
図１１に示すように、駆動コネクタ１４７には連結凹部１４９が形成され、連結凹部１４９はプランジャ１４５の先端段部１４５ａ（図５参照）と係合される。駆動コネクタ１４７は、連結凹部１４９の形成される連結ブロック部１４７ａが、錠ケース１９の可動空間１５５（図５，図６参照）に移動自在に配置される。ソレノイド１４３と連結ブロック部１４７ａの間には復帰用圧縮バネ１５１が挟入され、復帰用圧縮バネ１５１は連結ブロック部１４７ａを図６の左方向へ付勢している。なお、プランジャ１４５は、ソレノイド１４３の通電時、復帰用圧縮バネ１５１の付勢力に抗して同図の右方向へ移動される。これにより、可動空間１５５と連結ブロック部１４７ａには図６（ｂ）に示す間隙Ｓが形成される。
【００７０】
錠ケース１９の下部には、駆動カム５５と同方向の回動中心である支持軸１５７（図５参照）にて図１１に示す切替カム１５９が揺動自在に支持されている。切替カム１５９は、基端連結部１５９ｂが駆動コネクタ１４７に連結されるとともに、先端部１６１の押圧面１５９ａが揺動爪５４ａ，５４ｂの背部に当接し、揺動爪５４ａ，５４ｂを反時計回りに回転可能とする。つまり、切替カム１５９は、異なる揺動位置で揺動爪５４ａ，５４ｂを係止爪１９１に対する係止位置又は非係止位置に配置する。この切替カム１５９は駆動コネクタ１４７を挟んで扉表裏で一対設けられる。
【００７１】
図１１に示すように、駆動コネクタ１４７には縦枠１７の長手方向に長い垂直スライド穴１６７が形成されている。切替カム１５９の基端連結部１５９ｂには、垂直スライド穴１６７と重なり中央部を支持軸１５７に近接するく字形ガイド穴１６９が形成されている。垂直スライド穴１６７及びく字形ガイド穴１６９にはスライドピン１７１がスライド自在に貫通されている。これにより、切替カム１５９の基端連結部１５９ｂは、スライドピン１７１を介して駆動コネクタ１４７に連結される。
【００７２】
スライドピン１７１は、加締めピン１７３にて小片１７５に固定される。この小片１７５は、スライド片１７７の凹所１７９に、横方向に移動自在に収容される。小片１７５は、つる巻バネ１８０にて図１１の左方向へ付勢されガタツキが防止される。スライド片１７７及び小片１７５は駆動コネクタ１４７を挟み扉表裏で一対設けられる。小片１７５を介してスライドピン１７１を保持したスライド片１７７は、図１２に示すフロント裏板３９のスライド溝２０３に調整突起２０５がスライド自在に表出される。
【００７３】
電磁プランジャ１４４、駆動コネクタ１４７、切替カム１５９、スライドピン１７１、スライド片１７７を主要な部材として電気錠部１７９が構成されている。電気錠部１７９は、後にも述べるように、ソレノイド１４３に電気信号を印加することで、プランジャ１４５を介し単一の駆動コネクタ１４７を直動し、連結される一対の切替カム１５９，１５９を揺動することで、表裏の揺動爪５４ａ，５４ｂを遠隔操作可能とする。
【００７４】
図１３はスライド片がＴモードに配置されたプランジャ非動作時及び入力カム回転時を（ａ）、プランジャ動作時及び駆動カム回転時を（ｂ）に表した拡大側面図、図１４はスライド片がＲモードに配置されたプランジャ非動作時を（ａ）、プランジャ動作時を（ｂ）に表した拡大側面図、図１５はスライド片がＲモードに配置されたプランジャ非動作時及び駆動カム回転時を（ａ）、プランジャ動作時及び入力カム回転時を（ｂ）に表した拡大側面図、図１６はスライド片がＡモードに配置されたプランジャ非動作時を（ａ）、プランジャ動作時を（ｂ）に表した拡大側面図である。なお、スライド片がＴモードに配置された電気錠部は図６を参照して説明する。
プッシュプル電気錠１００は、表裏それぞれのスライド片１７７をスライドすることにより、駆動コネクタ１４７に対する切替カム１５９の位置を、図６に示す通電時解錠モード（Ｔモード）、図１４に示す通電時施錠モード（Ｒモード）、図１６に示すアンチパニックモード（Ａモード）の位置に変位させ、プランジャ１４５の直動で、揺動爪５４ａ，５４ｂを係止位置又は非係止位置に切り替えできるようになっている。
【００７５】
図６（ａ）、図１４（ａ）、図１６（ａ）は何れも非通電状態を示す。すなわち、非通電時では、Ｔモードは空振りにより解錠不能（すなわち、施錠状態）、Ｒモードは係止状態により解錠可能（すなわち、解錠状態）、Ａモードは常に係止状態により解錠可能（すなわち、解錠状態）となる。図６中、１８１はスライド片１７７に突設された位置決め突起、１８３Ｔ，１８３Ｒ，１８３Ａは樹脂製スペーサ部材１８４に形成された位置決め凹部を示す。スライド片１７７は、位置決め突起１８１を上段、中段、下段の位置決め凹部１８３Ｔ，１８３Ｒ，１８３Ａに弾性的に接触することで図１２に示した各モード位置に保持される。
【００７６】
垂直スライド穴１６７の幅と、く字形ガイド穴１６９の幅は、スライドピン１７１の外径と略一致している。く字形ガイド穴１６９は、くの字形状に屈曲している。したがって、垂直スライド穴１６７に沿ってスライドピン１７１が上下方向に移動されれば、く字形ガイド穴１６９の屈曲している分、駆動コネクタ１４７に対して切替カム１５９が揺動変位することとなる。つまり、両者の相対角度が変わる。この変位により揺動爪５４ａ，５４ｂの背部に対する押圧面１５９ａの位置を替え、揺動爪５４ａ，５４ｂの施錠配置（例えば図６（ａ）参照）、解錠配置（例えば図１４（ａ）参照）を可変設定可能としている。
【００７７】
錠ケース１９は、フロント裏板３９がフロント板４１にて覆われる。したがって、フロント裏板３９に表出するスライド片１７７の調整突起２０５は、フロント板４１にて覆われ、隠されるようになっている。これにより、通常の扉１１の開閉では、フロント板４１に覆われて調整突起２０５が露出せず、スライド片１７７が悪戯されることによる誤動作を防止できる。また、メンテナンス時の切替作業を可能としている。
【００７８】
また、駆動コネクタ１４７の垂直スライド穴１６７には、プランジャ１４５の直動変位量に相当する図１１に示す拡幅部１８５が形成されている。スライドピン１７１がこの拡幅部１８５に配置されることで、プランジャ１４５の直動によって駆動コネクタ１４７が移動しても、駆動コネクタ１４７の移動がスライドピン１７１へ伝達されず、電磁プランジャ１４４の動作、非動作に関わらず、常に揺動爪５４ａ，５４ｂと入力カム５２ａ，５２ｂが係止状態となるアンチパニックモード（Ａモード）にできる。
【００７９】
次に、Ｔモード、Ｒモード、Ａモードにおけるプッシュプル電気錠１００の各動作を説明する。なお、スライドカム板３１、ラッチ体７９、ラチェット爪１０５、リリーサ９５等の動作については上記と同様であるので省略する。また、揺動爪５４ａ，５４ｂは、表面１１ａ及び裏面１１ｂに配置されるが同様に作動するので揺動爪５４ａを例に説明する。
まず、通電時に揺動爪５４ａが係止する（解錠可能となる）Ｔモードでは、図６（ａ）に示すように、閉扉状態の非通電時、プランジャ１４５が突出状態となり、駆動コネクタ１４７が左方に配置される。切替カム１５９がスライドピン１７１にて反時計回りに回転配置されていることで、押圧面１５９により押圧されず、その結果、揺動爪５４ａが付勢バネ１９７にて時計回りに付勢されて係止爪１９１と非係止となる。つまり、図１３（ａ）に示すように、入力カム５２ａの係止爪１９１が揺動爪５４ａに干渉せず空振りする施錠状態となる。
【００８０】
一方、図６（ｂ）に示すように、電気信号が電磁プランジャ１４４に印加されると、プランジャ１４５が右方へ引かれ、駆動コネクタ１４７が同方向へ移動される。駆動コネクタ１４７が右方向へ移動されると、支持軸１５７より上側に位置しているスライドピン１７１が右側へ移動され、押圧面１５９ａが揺動爪５４ａの背部を右方向へ押す。これにより、揺動爪５４ａが反時計回りに回転し、入力カム５２ａに係止する解錠状態となる。
【００８１】
この状態で入力カム５２ａが回転されれば、図１３（ｂ）に示すように、駆動カム５５にてスライドカム板３１が押し上げられ、錠ボルト２５が後退し、ラッチ体７９により後退保持され、開扉が自在となる。なお、このとき、揺動爪５４ａは、ケース内に突設されるガイド凸部７２により背部を押された上記状態が解除されないように保持するようになっている。
【００８２】
また、通電時に揺動爪５４ａが非係止となるＲモードでは、図１４（ｂ）に示すように、閉扉状態の通電時、プランジャ１４５が右方向へ引っ張られ、切替カム１５９がスライドピン１７１にて反時計回りに回転配置される。押圧面１５９ａによる押圧が解除され、その結果、揺動爪５４ａが入力カム５２ａの係止爪１９１から離反している。つまり、図１５（ｂ）に示すように、入力カム５２ａの係止爪１９１が揺動爪５４ａに干渉せず空振りする施錠状態となる。
【００８３】
一方、閉扉状態の非通電であれば、図１４（ａ）に示すように、プランジャ１４５が突出位置となり、駆動コネクタ１４７が同方向へ移動配置される。駆動コネクタ１４７が左方向へ移動されていると、支持軸１５７より下側に位置しているスライドピン１７１が左側へ移動され、押圧面１５９ａが揺動爪５４ａを右方向へ押す。これにより、揺動爪５４ａが反時計回りに回転し、入力カム５２ａに係止する。
【００８４】
図１５（ａ）に示すように、この状態で駆動カム５５が回転されれば、スライドカム板３１が押し上げられ、錠ボルト２５が後退し、ラッチ体７９により後退保持される。このＲモードは停電時に解錠状態とすることができる。
【００８５】
図１６に示すように、スライド片１７７が最下段のＡモード位置に配置されると、スライドピン１７１が垂直スライド穴１６７及びく字形ガイド穴１６９の下端に配置される。電磁プランジャ１４４の非通電時には、図１６（ａ）に示すように、切替カム１５９が時計回りの位置に回転配置されたままとなり、押圧面１５９ａが揺動爪５４ａを右方へ押し、揺動爪５４ａが反時計回りに付勢されて入力カム５２ａに係止する。
【００８６】
また、図１６（ｂ）に示すように、電磁プランジャ１４４に電気信号が印加され、駆動コネクタ１４７が右方へ移動しても、スライドピン１７１が垂直スライド穴１６７の拡幅部１８５（図１１参照）へ入るため、スライドピン１７１はそのままの位置に留まり、切替カム１５９を反時計回りに回転しない。つまり、通電・非通電に関わらず、常に入力カム５２ａ，５２ｂと駆動カム５５を連結状態とできる。この結果、災害などの緊急・非常時に、開扉不能となることによる混乱（パニック）を防止する、混乱防止モード（所謂アンチパニックモード）を設定できる。但し、例えば扉１１の表面１１ａに配置されるスライド片１７７がＡモードであり、裏面１１ｂに配置されるスライド片１７７がＡモード以外であれば、裏面側のモードは表面１１ａとは独立して有効となる。
【００８７】
図１７は閉扉時における各モードの非通電時と通電時の施解錠状態を表した相関図である。
このように、プッシュプル電気錠１００は、Ｔモードの設定では、非通電時、非係止（施錠）状態となり、通電時には係止（解錠）状態となる。
Ｒモードの設定では、非通電時、係止（解錠）状態となり、通電時には非通電時、非係止（施錠）状態となる。
Ａモードの設定では、非通電時及び通電時に関わらず、常に係止（解錠）状態となる。
【００８８】
プッシュプル電気錠１００は、電気錠部１７９を備えることで、遠隔操作が可能となり、外部からの施錠、或いは外部からの解錠（解錠のために鍵を不要とする例えば合カギを持たない訪問者の許可など）を可能にできる。また、閉扉時に施錠としつつも、Ａモードでは屋外操作バー２１、室内操作バー２３の開扉操作によって、解錠が行え、これにより、緊急時・非常時にパニックにならず、非難通路の確保など、錠の状態に関わらず、通過を可能とすることができる。
【００８９】
したがって、本実施の形態によるプッシュプル電気錠１００によれば、上述した基本機構による効果に加え、電磁プランジャ１４４と、駆動コネクタ１４７と、切替カム１５９と、揺動爪５４ａ，５４ｂと、入力カム５２ａ，５２ｂと、駆動カム５５とを備えたので、揺動爪５４ａ，５４ｂを電気制御し、遠隔操作により施錠又は解錠を行うことができる。この結果、利便性を向上でき、セキュリティシステム等への対応を容易にすることができる。
【００９０】
また、入力カム５２ａ，５２ｂを駆動カム５５に連結・連結解除（空振り）でき、駆動カム５５を回転固定（ロック）せずに、解錠操作力の伝達を断つので、破壊的な解錠操作力に対抗可能な信頼性の高い施錠状態を実現できる。
【００９１】
さらに、スライド片１７７をスライドすることにより、揺動爪５４ａ，５４ｂに対する切替カム１５９の位置を変位させることができるので、単一プランジャ１４５の直動で揺動爪５４ａ，５４ｂを揺動切り替えできる。つまり、状況に応じ電気制御バリエーションを設定できる。この結果、単一種類のプッシュプル電気錠１００を、用途に応じ異なる電気制御内容に設定でき、汎用性を高めることができる。
【００９２】
さらに、プッシュプル電気錠１００によれば、単一の駆動コネクタ１４７を挟み扉表裏に一対の切替カム１５９及びスライド片１７７を配設したので、扉表裏の各スライド片１７７のスライド位置を変えることで、扉表裏で施錠、解錠を独立して任意に行うことができる。
【００９３】
なお、上記プッシュプル電気錠１００は、上述したように揺動爪５４ａ，５４ｂを入力カム５２ａ，５２ｂに対する係止位置又は非係止位置とすることで、施錠状態又は解錠可能状態とできるが、揺動爪５４ａ，５４ｂと重複してシリンダ錠やサムターンの施解錠手段を設ける構成としてもよい。シリンダ錠付きプッシュプル電気錠１００は、合鍵によるシリンダ錠の施解錠回転にて、揺動爪５４ａ，５４ｂを駆動カム５５に係止・非係止させる不図示のリンク機構等を設けることで、マニュアルによる施解錠が可能となる。この場合、増設する例えばシリンダ錠は、錠ケース１９の上部に配置することで、縦枠１７の長手方向に分散配置できる。つまり、錠ケース１９の奥行きを幅Ｄを増加させずに済む。
【図面の簡単な説明】
【００９４】
【図１】本発明に係るプッシュプル電気錠を備えたガラス扉の斜視図である。
【図２】図１に示したプッシュプル電気錠の錠ケース内の側面図である。
【図３】図２の上部拡大斜視図である。
【図４】錠ボルト近傍部材の分解斜視図である。
【図５】図２の下部拡大斜視図である。
【図６】揺動爪係止状態を（ａ）、揺動爪非係止状態を（ｂ）に表した駆動カム近傍部材の側面図である。
【図７】駆動カム回転時の側面図である。
【図８】錠ボルト後退途中の側面図である。
【図９】リリーサ作動時の側面図である。
【図１０】ラッチ体によるスライドカム板の保持・保持解除状況を（ａ）〜（ｄ）で表した動作説明図である。
【図１１】駆動カム及び電気錠部の分解斜視図である。
【図１２】扉表面側のスライド片がＴモード（ａ）、Ｒモード（ｂ）、Ａモード（ｃ）に配置されたフロント裏板部の斜視図である。
【図１３】スライド片がＴモードに配置されたプランジャ非動作時及び入力カム回転時を（ａ）、プランジャ動作時及び駆動カム回転時を（ｂ）に表した拡大側面図である。
【図１４】スライド片がＲモードに配置されたプランジャ非動作時を（ａ）、プランジャ動作時を（ｂ）に表した拡大側面図である。
【図１５】スライド片がＲモードに配置されたプランジャ非動作時及び駆動カム回転時を（ａ）、プランジャ動作時及び入力カム回転時を（ｂ）に表した拡大側面図である。
【図１６】スライド片がＡモードに配置されたプランジャ非動作時を（ａ）、プランジャ動作時を（ｂ）に表した拡大側面図である。
【図１７】閉扉時における各モードの非通電時と通電時の施解錠状態を表した相関図である。
【符号の説明】
【００９５】
１１…扉
１１ａ，１１ｂ…扉面
１１ｃ…扉開閉端
１７…縦枠
１９…錠ケース
２５…錠ボルト
２９…スリット
３１…スライドカム板
３９…フロント裏板
４１…フロント板
４３…仮想軸（駆動カムの回転中心）
５２ａ，５２ｂ…入力カム
５４ａ，５４ｂ…揺動爪
５５…駆動カム
６５…変換機構
７３…斜め穴
７７…垂直穴
７９…ラッチ体
９５…リリーサ
１００…プッシュプル電気錠
１０５…ラチェット爪
１４３…ソレノイド
１４４…電磁プランジャ
１４５…プランジャ
１４７…駆動コネクタ
１５９…切替カム
１５９ｂ…基端連結部
１６１…先端部
１６７…垂直スライド穴
１６９…く字形ガイド穴
１７１…スライドピン
１７７…スライド片
１８５…拡幅部
１９１…係止爪
１９３…揺動先端
１９５…揺動軸
Ｄ…錠ケースの錠ボルト進退方向の奥行き長
Ｌ…錠ボルトの進退方向の全長
ａ…開扉方向垂直スライド穴
【図１】
0005133767.tif 000002
【図２】
0005133767.tif 000003
【図３】
0005133767.tif 000004
【図４】
0005133767.tif 000005
【図５】
0005133767.tif 000006
【図６】
0005133767.tif 000007
【図７】
0005133767.tif 000008
【図８】
0005133767.tif 000009
【図９】
0005133767.tif 000010
【図１０】
0005133767.tif 000011
【図１１】
0005133767.tif 000012
【図１２】
0005133767.tif 000013
【図１３】
0005133767.tif 000014
【図１４】
0005133767.tif 000015
【図１５】
0005133767.tif 000016
【図１６】
0005133767.tif 000017
【図１７】
0005133767.tif 000018